(57)【要約】【課題】本発明は障害者が介護者なしで体を支えながら使用する歩行器が、安定性に優れ、使用者に合わせて横幅方向が伸縮でき、施設等での格納が連動収納できる歩行器を提供。【解決手段】前側脚台９の下端両側にキャスター受軸１５を取付ることにより、キャスター受軸１５の任意の長さで高さ調整ができ、前側脚台９の部分を床面よりある程度高くすることにより後続２台目・３台目の歩行器が連動して、脚台９とグリップ１が重なることができ、連動収納可能とすることを特徴とする【選択図】  図１
2006297022.tif 000002
【特許請求の範囲】
【請求項１】
体重支持するグリップ１は前部グリップ支え２と後部グリップ支え３と伸縮グリップ１３とで形成され、下面に前脚柱７と後脚柱８と伸縮振れ止め５ａと５ｃと振れ止め６で形成され、、さらに下面には脚台９とキャスター受軸１５で形成するとともに、左右のキャスター受軸１５に主軸自在車輪１０と脚台９の後ろ側に固定車輪１１を取付走行可能に形成し、利用者に合わせて水平軸横方向に伸縮できると、ともにグリップの高さ調整を可能にすることができ、さらに連動収納を可能にした木製歩行器である。
【請求項２】
前期伸縮振れ止め５ａと５ｃはスライド溝１６ａと１６ｂと伸縮案内棒１９とストッパ１７ａと１７ｂと伸縮固定ボルト１８ａと１８ｂとナット２０ａと２０ｂで構成され水平軸横方向に伸縮することを、特徴とする請求項１に記載される木製歩行器、伸縮グリップ１３も同様である。
【請求項３】
前期連動収納可能にした木製歩行器は前側脚台９の下端にキャスター受軸１５を取付ることにより前側脚台９の部分を床面よりある程度高くすることにより後続２台目・３台目の歩行器が連動して、脚台９とグリップ１が重なることができ、例えば病院・施設等の格納庫、その他の場所に収納し易いことを、特徴とする請求項１に記載される連動収納を可能にした木製歩行器である。
【請求項４】
前期グリップ高さ調整はグリップ１と前部グリップ支え２と後部グリップ支え３とインサートナット２１ａと２１ｂと蝶番２２から形成され、ノブボルト４ａと４ｂを取り外すと、ともにグリップ１の上下変更を可能にしさらに、固定ダホ１４ａと１４ｂで左右の動きをなくしたことを、特徴とする木製歩行器である。
【請求項５】
（例えば、特願２０００−３２１１６６号参照）のように、グリップが水平であるが本発明はグリップ１の手前側を低く斜面状態Ｅ：１にすることで、障害者が自然姿勢の状態で前進歩行することができることを特徴とする請求項１に記載される歩行器である。
【発明の詳細な説明】
【技術分野】
【０００１】この発明は歩行に障害がある障害者が杖代わりまた歩行訓練のために体を支えながら前進操作を行うようにした歩行器に関し、危険なく容易に前進できるようにするとともに、グリップの高さ調整と幅を水平軸横方向に伸縮ができ、病院・施設等での格納庫・その他場所に連動収納を可能した木製歩行器である。
【背景技術】
【０００２】公報のように前後左右の四隅に車輪をつけたのものがある（例えば、特願２０００−３２１１６６号参照）【０００３】
【特許文献】特願２０００−３２１１６６号の場合、車体本体が大きい為室内などで使用する場合比較的広い空間が必要であるとともに、収納する場合、広い場所・格納庫が必要である。
【発明の開示】
【発明が解決しようとする課題】
【０００４】そこで本発明は上記の課題を解決するために、歩行器全体を木製品で小型化にし、軽く比較的狭い室内空間での使用可能にすると、ともに狭いスペースの格納場所でも連動収納できることを、可能にした木製歩行器を提供することを目的とする。
【課題を解決するための手段】
【０００５】このようなことから、本発明の目的は、木製品で家庭・病院・施設等で走行が比較的容易にでき、狭い格納スペースでも、連動収納ができる連動収納型木製歩行器を開発したものである。
【発明の効果】
【０００６】本発明は歩行器全体が横幅方向に水平に伸縮ができるとともにグリップ１の高さ調整ができ、格納する場合、狭いスペースの格納場所でも連動収納が可能である。例えば病院・施設等での格納スペースを確保することが容易である。
【発明を実施するための最良の形態】
【０００７】グリップ１と伸縮グリップ１３と前部グリップ支え２と後部グリップ支え３と前脚柱７と後脚柱８と脚台９と伸縮振れ止め５ａと５ｃが一体となり横軸水平方向に伸縮することができ、伸縮固定ボルト１８ａと１８ｂで固定することができ、グリップの高さ調整はグリップ１と前部グリップ支え２と後部グリップ支え３と伸縮グリップ１３が一体となり、ノブボルト４ａと４ｂを取り外し、後部グリップ支えを後ろ側に引くことにより上下高さ調整ができ、ノブボルト４ａと４ｂと固定ダホ１４ａと１４ｂで固定することで安全に使用ができ、脚台９の前部分を床面よりある程度高くすることにより、スムーズに連動収納が可能である。
【実施例】
【０００８】以下に、本発明の実施の形態を図１〜図６に基づいて説明する。
図１に示すように、連動収納型歩行器は木材から制作され、前脚７と後脚８の前後に前部グリップ支え２と後部グリップ支え３が設けられ、上端にはグリップ１と伸縮グリップ１３が設けられ、下端に脚台９とキャスター受軸１５が連結し一体化になり、キャスター受軸１５の下端に主軸自在車輪１０と脚台９の後部に固定車輪１１が装着され、さらに伸縮振れ止め５ａと５ｃと振れ止め６が一体化にすることにより、横軸水平方向に伸縮ができ、主軸自在車輪１０を床面よりある程度高くすることにより、連動収納を可能にした歩行器である。主軸自在車輪１０を他の方法で高く浮かすことも可能である。木材に限らず軽金属、合成樹脂からも作成することも可能である。【０００９】図４に示すようにキャスター受軸１５の長さをある程度床面より高くするとともに、下端に主軸自在車輪１０と脚台９後部に固定車輪１１を取付組み立てた部材から構成され後続の歩行器が連動収納できるように形成された部材からなる。【００１０】図５に示すように伸縮振れ止め５ａと５ｃはスライド溝１６ａと１６ｂと伸縮案内棒１９と伸縮固定ボルト１８ａと１８ｂとナット２０ａと２０ｂとストッパ１７ａと１７ｂの部材から構成され横軸水平方向に伸縮ができ、伸縮固定は伸縮固定ボルト１８ａと１８ｂを作用することにより、伸縮固定可能である。【００１１】図６に示すようにグリップ１と伸縮グリップ１３と前部グリップ支え２と後部グリップ支え３と蝶番２２とノブボルト４ａと４ｂと固定ダホ１４ａと１４ｂと高さ調整穴１２で構成され、グリップ１と伸縮グリップ１３と前部グリップ支え２と後部グリップ支え３が一体化し後部グリップ支え３の後部上端に蝶番２２を装着することにより、後方に振れ移動ができ、ノブボルト４ａと４ｂを取り外すことにより、高さ調整可能にした組立部材からなる。
【産業上の利用可能性】
【００１６】
【図面の簡単な説明】
【００１７】
【図１】本発明の側面図である。
【図２】本発明の正面図である。
【図３】本発明の斜面図である。
【図４】本発明の側面図（連動収納状態）
【図５】本発明の伸縮振れ止め詳細図
【図６】本発明のグリップ部分の側面図
【符号の説明】
【００１８】１        グリップ
２        前部グリップ支え
３        後部グリップ支え
４ａ      ノブボルト
４ｂ      ノブボルト
５ａ      伸縮振れ止め
５ｃ      伸縮振れ止め
６        振れ止め
７        前脚柱
８        後脚柱
９        脚台
１０      主軸自在車輪
１１      固定車輪
１２      高さ調整穴
１３      伸縮グリップ
１４ａ    固定ダホ
１４ｂ    固定ダホ
１５      キャスター受軸
１６ａ    スライド溝
１６ｂ    スライド溝
１７ａ    ストッパ
１７ｂ    ストッパ
１８ａ    伸縮固定ボルト
１８ｂ    伸縮固定ボルト
１９      伸縮案内棒
２０ａ    ナット
２０ｂ    ナット
２１ａ    インサートナット
２１ｂ    インサートナット
２２      蝶番
Ｅ：１    斜面状態（グリップ）
【図１】
2006297022.tif 000003
【図２】
2006297022.tif 000004
【図３】
2006297022.tif 000005
【図４】
2006297022.tif 000006
【図５】
2006297022.tif 000007
【図６】
2006297022.tif 000008